(57)【特許請求の範囲】
【請求項１】
限定受信放送によって、個別情報を伝送する個別情報伝送方式であって、
少なくとも事業体識別情報と更新情報を含む個別情報を、送信装置からＩＣカードが装着可能な複数の受信装置に対して繰返して送出する送出手段と、
ここで、前記複数の受信装置は、同一のデータ伝送速度を利用可能な、固定された固定用の受信装置と、移動体に設置された車載用の受信装置とを含み、
前記各受信装置において、前記送信装置からの前記個別情報を受信すると共に、前記ＩＣカードに記憶された情報を取得することによって、該個別情報と該ＩＣカードの情報とを処理する情報処理手段と、
ここで、該情報処理手段は、
前記個別情報が、所定の受信装置に装着されたＩＣカードの情報に一致するものであるか否かを判断する手段と、
前記個別情報が、前記ＩＣカードの情報に一致すると判断した場合、該個別情報に含まれる更新情報と該ＩＣカードの情報とを比較し、該更新情報が該ＩＣカードの情報に含まれない新たに更新された情報か否かを判断する手段と、
前記新たに更新された情報と判断した場合、前記ＩＣカードの識別情報を含む取得確認情報を生成する手段と、
前記生成された取得確認情報を、前記ＩＣカードに固有な鍵を用いて暗号化処理を行って前記送信装置へ送信する手段とを含み、
前記送信装置において、前記各受信装置から送信された前記取得確認情報の解析結果に基づいて、該各受信装置に対する前記個別情報の送出を制御する伝送制御手段と
を具え、
ここで、該伝送制御手段は、
前記各受信装置からの前記取得確認情報を前記暗号化処理に対応する鍵で復号化処理を行って、該復号化された取得確認情報が、所定の受信装置から送信されてきたものであるか否かを確認し、既に個別情報を取得している受信装置の判別を行う手段と、
前記判別の結果、前記既に個別情報を取得している受信装置が前記固定用の受信装置である場合、該固定用の受信装置に対する該個別情報の一定期間に渡る送出回数を低減させ、該固定用の受信装置と同一の伝送速度を利用可能な前記車載用の受信装置への伝送容量の割り当てを相対的に増加させる制御を行う手段とを含むことを特徴とする個別情報伝送方式。
【請求項２】
請求項１記載の個別情報伝送方式に用いられ、
該個別情報伝送方式における、前記送出手段と、前記伝送制御手段と
を具えたことを特徴とする送信装置。
【請求項３】
請求項１記載の個別情報伝送方式に用いられ、
該個別情報伝送方式における、前記情報処理手段を具えたことを特徴とする受信装置。
【発明の詳細な説明】
【０００１】
【発明の属する技術分野】
本発明は、テレビジョン伝送方式に係わり、特に、限定受信方式における受信装置に個別の情報（例えば、個別情報（ＥＭＭ）やＥＭＭ個別メッセージ）の送出方式および受信装置の制御方式を提供することが可能な、個別情報伝送方式、並びに、該個別情報伝送方式に用いられる送信装置および受信装置に関する。
【０００２】
【従来の技術】
従来、限定受信方式を用いて放送を行う場合、そのシステムの基本的な機能として、信号をスクランブルする方式のパラメータとなるスクランブル鍵（Ｋｓ）と、各番組の属性情報からなる番組情報（ＥＣＭ）と呼ばれる関連情報と、このＥＣＭを受信装置に暗号化して送るための鍵となるワーク鍵（Ｋｗ）や各個人の契約情報などからなる個別情報（ＥＭＭ）と呼ばれる関連情報とを伝送し、処理する機能がある。
【０００３】
ここで、ＥＣＭは、全受信装置に共通に送られるが、ＥＭＭは、各受信装置に固有のマスタ鍵（Ｋｍ）で暗号化されて個別に送られる。
【０００４】
また、この機能を利用して各受信装置毎に個別のメッセージを送ることも実用化されている。
【０００５】
これらの技術については、例えば、電波産業会（ＡＲＩＢ）の標準規格「ＢＳデジタル放送限定受信方式」（ＡＲＩＢ  ＳＴＤ−Ｂ２５）に記載されている。
【０００６】
図３は、従来における個別情報を伝送する伝送システムの構成例を示す。
【０００７】
送信装置１は、限定受信方式を用いて、個別情報（ＥＭＭ）１０を各受信装置１００毎に繰返して送出する。
【０００８】
この個別情報１０は、個別情報生成部２において生成された後、送信部３によってＭＰＥＧ−２システムズのトランスポートストリーム（ＴＳ）に多重化されて様々な伝送路を経由して伝送される。
【０００９】
このように、従来の個別情報１０は、ある一定期間中は、全ての受信装置に対して繰り返し伝送されている。なお、各受信装置１００には、受信装置識別用のＩＣカード２００が装着可能とされている。
【００１０】
【発明が解決しようとする課題】
各受信装置１００に個別に情報（個別情報１０等）を送る場合、その情報を送る方法の１つである電波で送る伝送手法は、費用は安い。
【００１１】
しかし、このような伝送手法は、全ての受信装置１００に電源が入り、同調されていないと伝えられないので、ある一定期間中は全ての受信装置１００に対して繰返し伝送することが必要であり、しかも、各受信装置１００に連続して電源が入っていないと確実に伝えることができない。
【００１２】
また、一般に、デジタル放送の限定受信方式の規格では、受信装置に対しては、通電制御方式と呼ばれる省エネルギー対策が施され、個別情報（ＥＭＭ）の更新の際に電波を受信するために、受信装置に通電する時間を短縮する方策がとられている。
【００１３】
しかし、送出側に対してはＥＭＭを受信装置が受信したかどうかを知り得ないため、その受信装置が受信したかどうかにかかわらず、ある一定期間中は全ての受信装置に対して各々の個別情報を繰り返し送出する必要があった。
【００１４】
その結果、総伝送容量に対して個別情報の容量がかなりの割合を占め、伝送路の効率的な利用の妨げとなっていた。
【００１５】
例えば、同一受信装置へのＥＭＭの伝送周期を１時間として、１ケ月程度連続して送るといった方法がとられている。これは、１時間程度連続してその放送チャンネルを受信することが、１ヶ月に１回は必ずあるという前提に基づいた設計になっている。
【００１６】
この例の場合、第１回目の送出で受信されても、その受信装置に宛てて、２４×３０＝７２０回送り続けることになり、伝送容量の大きな損失となる。
【００１７】
このような状況は、地上デジタル音声放送といったデータの伝送容量が制限されたシステムでは特に問題となる。
【００１８】
以上説明したように、従来の限定受信方式を用いて送出される個別情報（ＥＭＭ）は、送出側である送信装置がその個別情報を受信装置が受信したかどうか知りえないため、その個別情報が既に受信済みであろうとなかろうと、一定期間中は全ての受信装置に対して各々の情報を繰り返して送出する必要があり、その結果、伝送路の効率的な利用の妨げとなっていた。
【００１９】
そこで、本発明の目的は、個別情報の繰返し送出回数を減らして、伝送路の利用効率を向上させることが可能な、個別情報伝送方式、並びに、該個別情報伝送方式に用いられる送信装置および受信装置を提供することにある。
【００２０】
【課題を解決するための手段】
本発明は、限定受信放送によって、個別情報を伝送する個別情報伝送方式であって、少なくとも事業体識別情報と更新情報を含む個別情報を、送信装置からＩＣカードが装着可能な複数の受信装置に対して繰返して送出する送出手段と、ここで、前記複数の受信装置は、移動体に設置された受信装置を含み、前記各受信装置において、前記送信装置からの前記個別情報を受信すると共に、前記ＩＣカードに記憶された情報を取得することによって、該個別情報と該ＩＣカードの情報とを処理する情報処理手段と、ここで、該情報処理手段は、前記個別情報が、所定の受信装置に装着されたＩＣカードの情報に一致するものであるか否かを判断する手段と、前記個別情報が、前記ＩＣカードの情報に一致すると判断した場合、該個別情報に含まれる更新情報と該ＩＣカードの情報とを比較し、該更新情報が該ＩＣカードの情報に含まれない新たに更新された情報か否かを判断する手段と、前記新たに更新された情報と判断した場合、前記ＩＣカードの識別情報を含む取得確認情報を生成する手段と、前記生成された取得確認情報を、前記ＩＣカードに固有な鍵を用いて暗号化処理を行って前記送信装置へ送信する手段とを含み、前記送信装置において、前記各受信装置から送信された前記取得確認情報の解析結果に基づいて、該各受信装置に対する前記個別情報の送出を制御する伝送制御手段とを具え、  ここで、伝送制御手段は、前記各受信装置からの前記取得確認情報を前記暗号化処理に対応する鍵で復号化処理を行って、該復号化された取得確認情報が、所定の受信装置から送信されてきたものであるか否かを確認し、既に個別情報を取得している受信装置の判別を行う手段と、前記判別の結果、前記既に個別情報を取得している受信装置に対する該個別情報の一定期間に渡る送出回数を低減させる制御を行う手段とを含むことを特徴とする。
【００２３】
本発明は、上記個別情報伝送方式に用いられ、該個別情報伝送方式における、前記送出手段と、前記伝送制御手段とを具えることによって、送信装置を構成する。
【００２４】
本発明は、上記個別情報伝送方式に用いられ、該個別情報伝送方式における、前記情報処理手段を具えることによって、受信装置を構成する。
【００２５】
【発明の実施の形態】
以下、図面を参照して、本発明の実施の形態を詳細に説明する。
（概要）
まず、本発明の概要について説明する。
【００２６】
本発明は、限定受信放送における受信装置に個別の情報を繰返し伝送する伝送方式、並びに、その伝送方式に適用される送信装置および受信装置の制御に関するものである。
【００２７】
すなわち、個別の情報（以下、個別情報という）を受信した受信装置が何らかの伝送手段を使用して送出側である送信装置に当該個別情報を受信したという確認情報を送り返し、その送出側においては、その確認情報を基にそれ以降の当該受信装置に対する個別情報の繰返し伝送を制御することにより、個別情報全体の伝送量を抑えることができるようにしたものである。
【００２８】
また、本発明は、地上デジタル音声放送の主要な用途としての車載の受信装置（すなわち、送信装置側へ情報を送信する通信路が常時接続されていない受信装置）をも対象とするものであり、このような場合、車の運転時間との関係等から情報送出の繰返し周期を短くする必要があり、データの伝送容量との関係が重要になる。
【００２９】
（具体例）
以下、具体的な例を挙げて説明する。
【００３０】
本発明に係る個別情報伝送システムの１例を、図１および図２に基づいて説明する。
【００３１】
（システム構成）
図１は、個別情報伝送システムの構成例を示す。なお、前述した図３のシステムと同一部分についての説明は省略し、同一符号を付す。
【００３２】
本システムは、個別情報１０を繰返して送出する送信装置１と、該送出された個別情報１０を取得した旨を示す取得確認情報５０を返送する複数の受信装置１００とから構成される。
【００３３】
（送信側）
送信装置１は、個別情報１０を生成する個別情報生成部２と、その生成された個別情報１０を送信する制御を行う送信部３と、取得確認情報５０を集計する集計サーバ４とを備えて構成される。
【００３４】
送信部３は、個別情報生成部２によって生成された個別情報１０を集計サーバ４によって集計された判別結果に基づいて送信する機能をもつ。この場合、個別情報１０を取得している既取得の受信装置１００に対して、該個別情報１０の送信頻度を下げるか、或いは、送信を終了する機能をもつ。
【００３５】
また、この送信部３には、装置全体の統括的な制御を行うＣＰＵや、本発明に係る制御プログラム（後述する図２参照）やデータを記憶したり各種の演算処理を行う領域として用いられる記憶領域（ＲＯＭ・ＲＡＭ等）が設けられている。
【００３６】
集計サーバ４は、各受信装置１００から返送された取得確認情報５０を集計すると共に、その取得確認情報５０を解読して、個別情報１０を取得している既取得の受信装置１００が存在するか否かを判別し、その判別結果を送信部３へ送る機能をもつ。
【００３７】
（受信側）
受信装置１００は、受信部１０１と、取得決定部１０２と、生成部１０３と、確認情報送出部１０４とを備えて構成される。
【００３８】
受信部１０１は、送信装置１から送出された個別情報１０を受信する機能をもつ。なお、この受信部１０１にも、送信部３と同様に、ＣＰＵや、本発明に係る制御プログラム（後述する図２参照）等を記憶する記憶領域が設けられている。
【００３９】
取得決定部１０２は、受信した個別情報１０を識別情報と比較し、装置内に取得するか否かを決定する機能をもつ。
【００４０】
生成部１０３は、個別情報１０を取得すると決定した場合、個別情報１０を取得したことを示す取得確認情報５０を生成する機能をもつ。
【００４１】
確認情報送出部１０４は、生成された取得確認情報５０を、受信装置１００から送信装置１へ送出する機能をもつ。取得確認情報５０は、上り回線６０等によって送信装置１側へ送られる。
【００４２】
（システム動作）
次に、本伝送システムの動作について説明する。
【００４３】
ここでは、取得確認情報５０を利用して個別情報１０を伝送制御する例について示す。
【００４４】
限定受信方式を用いて、送信装置１から各受信装置１００に個別情報１０を繰返して送出する放送を行う場合において、各受信装置１００では、受信部１０１で個別情報１０を受信したことを確認した後、取得決定部１０２によってその受信した個別情報１０の事業体識別情報や更新番号情報を以前のものと比較し、比較結果に基づいて装置内に取得して処理するか否かを決定する。個別情報１０を取得すると決定した場合は、生成部１０３によって個別情報１０を取得したことを示す取得確認情報５０を生成し、確認情報送出部１０４を通じて送信装置１に対して受信した旨を示す取得確認情報５０を通知する。
【００４５】
この通知に伴い、送信装置１では、集計サーバ４によって各受信装置１００からの取得確認情報５０が集計されてその内容が解読され、これにより、個別情報１０を取得している既取得の受信装置１００が存在するか否かが判別される。
【００４６】
その判別結果に基づいて、個別情報生成部２によって生成された個別情報１０は、送信部３によって、個別情報１０を既に取得している受信装置１００に対する該個別情報１０の送出頻度が下げられるか、又は、その送出が終了される。
【００４７】
（個別情報）
ここで、個別情報１０について説明する。
【００４８】
取得確認情報５０を利用して個別情報１０を送出制御する伝送システムの例では、個別情報１０を受信した受信装置１００が何らかの上り回線６０を使用して、送信装置１側に確かに個別情報１０を取得したという取得確認情報５０を送り出す。この取得確認情報５０を送り返すために、送信装置１側から受信装置１００に伝送されてくる個別情報１０には、例えば以下のような内容の情報を含む。ａ）受信装置１００において、個別情報１０が更新されたことを識別するための情報
ｂ）受信装置１００において、受信確認に関する情報の送り返し先を特定するための情報
ｃ）取得確認情報５０の改竄を防止するための情報
送信装置１側では、取得確認情報５０により当該受信装置１００に対する個別情報１０が正しく受信されたことを確認した後、当該受信装置１００に対する個別情報１０の繰返し送出の頻度を下げるか若しくは送出を終了することによって、個別情報１０全体の伝送量を抑えることが可能となる。
【００４９】
（処理例）
次に、本システムの伝送制御処理を、図２のフローチャートに基づいて説明する。
【００５０】
送信装置１における取得確認情報５０に基づく個別情報１０の送出制御と、受信装置１００における個別情報１０の受信および取得確認情報５０の生成の各処理について説明する。
【００５１】
まず、送信装置１側の処理について説明する。
【００５２】
ステップＳ１では、受信装置１００において取得確認情報５０を送り返すために必要な情報（＝送り先情報）を、例えば個別情報１０の可変部（＝ＥＭＭの機能情報配置部）にデスクリプタ形式でセットする。
【００５３】
ステップＳ２では、その送り先情報を含む個別情報１０を、各受信装置１００に対して繰返して送出する。
【００５４】
次に、受信装置１００側の処理について説明する。
【００５５】
ステップＳ３では、繰返して送出される個別情報１０を受信する。
【００５６】
ステップＳ４では、その受信して一時的に記憶された個別情報１０のうち、カードＩＤに一致するものが存在するか否かをチェックする。一致するものが存在すればステップＳ５に進み、存在しなければ他の処理に移行する。
【００５７】
ステップＳ５では、その受信した個別情報１０の事業体識別情報と更新番号とを、記憶領域内に一時的に記憶する。
【００５８】
ステップＳ６では、記憶されている個別情報の更新番号を確認する。
【００５９】
ステップＳ７では、その確認された更新番号が以前のものと比較して更新されているか否かをチェックする。更新されていればステップＳ８に進み、更新されていなければ他の処理へ移行する。
【００６０】
ステップＳ８では、更新されている場合、更新された情報の属する放送事業体と、個別情報１０の更新番号とを受信装置１００内に記憶する。
【００６１】
その後、この記憶されたデータを、受信装置１００に装填されたＩＣカード２００へ転送する。この転送されたデータが、ＩＣカード２００内で暗号が正しく復号されたとき、ＩＣカード２００内にその更新された情報を記憶する。そして、ＩＣカード２００で正常に処理を終了した旨を受信装置１００に応答する。
【００６２】
そのＩＣカード２００で正常な処理が行われると、ステップＳ９では、取得確認情報５０の生成を行う。取得確認情報５０は、例えばカードＩＤや有料事業体識別、その際の更新番号等を含む。
【００６３】
ステップＳ１０では、例えば個別情報１０の可変部にデスクリプタ形式で配置されている送り先情報を参照して、何らかの上り回線６０を利用して、送信装置１側に取得確認情報５０を送り出す。この場合、ＩＣカード２００の暗号化鍵で暗号化して送信することもできる。
【００６４】
再び、送信装置１側の処理について説明する。
【００６５】
ステップＳ１１では、送信装置１側において、取得確認情報５０が暗号化されている場合は、受信装置１００と同一の暗号化鍵で復号化する。
【００６６】
ステップＳ１２では、その復号化された取得確認情報５０が、確かに所定の受信装置１００から送られてきたものであるか否かを確認した上で、既に個別情報１０を取得している受信装置１００の判別を行う。
【００６７】
ステップＳ１３では、個別情報１０を既に取得している受信装置１００に対する個別情報１０の送出頻度を下げるか、或いは、送出を終了する制御を行う。
【００６８】
以上説明したような処理によって、伝送制御が実行される。
【００６９】
さらに、以下の処理を追加してもよい。
【００７０】
放送の送信装置１側へ情報を送信する通信路が常時接続されていない受信装置１００、例えば車等の移動体に設置されたような受信装置において、通信路を受信装置１００に接続した際に、受信装置１００に記憶された最新の情報を送信し、送信装置１側で確認した後に、それ以後の当該受信装置１００へ向けた繰返し送信の頻度を下げるか若しくは終了するような処理を実行することができる。
【００７１】
【発明の効果】
以上説明したように、本発明によれば、受信装置側において、送信装置から受信した個別情報を装置内に取得して処理するか否かを決定し、取得すると決定した場合、取得確認情報を生成して送信装置へ送出し、一方、送信装置側において、送出された取得確認情報を解読して個別情報を既に取得している受信装置が存在するか否かを判別し、判別結果に基づいて該個別情報を取得済みの受信装置に対して該個別情報の送出制御を行うようにしたので、送信装置側では、受信装置から返送された取得確認情報を基にして、それ以降当該受信装置に対する個別情報の伝送を抑えるか又は伝送を終了することによって、個別情報を送出する先の受信装置の数を必要に応じて削減することができ、これにより、個別情報の繰返し送出回数を減らして個別情報全体の伝送量を抑えることが可能となるため、伝送路の利用効率を向上させることができる。
【００７２】
また、本発明によれば、受信者の視聴形態によるが、視聴していない人のみ残ることにより、同じデータ伝送速度を利用するとすれば、残った人への個別情報の伝送周期が短くなり、より受信され易くなるという効果を得ることができる。
【００７３】
さらに、本発明によれば、地上デジタル音声放送のような固定受信と車載の受信装置での受信が混在するような場合、固定受信で確実に受信された情報の繰返し送出を終了させることにより、車載用受信装置向けの伝送容量の割り当てを相対的に増加させることができ、受信され易さのさらなる効果を期待することができる。
【図面の簡単な説明】
【図１】本発明に係る、取得確認情報を利用した個別情報の伝送システムの構成例を示すブロック図である。
【図２】伝送システムの処理例を示すフローチャートである。
【図３】従来における個別情報の伝送システムの構成例を示すブロック図である。
【符号の説明】
１  送信装置
２  個別情報生成部
３  送信部
４  集計サーバ
１０  個別情報
５０  取得確認情報
６０  上り回線
１００  受信装置
１０１  受信部
１０２  取得決定部
１０３  生成部
１０４  確認情報送出部
２００  ＩＣカード
【図１】
0004187083.tif 000002
【図２】
0004187083.tif 000003
【図３】
0004187083.tif 000004